(57)【要約】【課題】メインミラーホルダ待機位置まで予めサブミラーホルダを回動待機させた際に、二重像とならない鮮明なファイダ像となる撮像装置を提供すること。【解決手段】メインミラー（５０１）と、メインミラー（５０１）を保持するメインミラーホルダ（５０２）と、メインミラーホルダ（５０２）に支持され、サブミラー（５０３）を保持するサブミラーホルダ（５０４）と、を備え、サブミラーホルダ（５０４）は、被写体光を焦点検出装置（３１）に導くための第１の位置と、被写体光をファインダ光学系（４）へ導くためのメインミラー待機位置まで回動した第２の位置と、撮像素子（３３）への被写体光を遮らない第３の位置を有した撮像装置において、メインミラー（５０１）は、表面にＡＲコートを施した裏面反射鏡であり、サブミラー（５０３）は、表面反射鏡であり、前記第２の位置において、メインミラー（５０１）とサブミラー（５０３）は略平行に重畳されることを特徴とする。【選択図】図２（ａ）
2017146320.tif 000002
【特許請求の範囲】
【請求項１】
メインミラー（５０１）と、
メインミラー（５０１）を保持するメインミラーホルダ（５０２）と、
メインミラーホルダ（５０２）に支持され、
サブミラー（５０３）を保持するサブミラーホルダ（５０４）と、を備え、
サブミラーホルダ（５０４）は、被写体光を焦点検出装置（３１）に導くための第１の位置と、
被写体光をファインダ光学系（４）へ導くためのメインミラー待機位置まで回動した第２の位置と、
撮像素子（３３）への被写体光を遮らない第３の位置を有した撮像装置において、
メインミラー（５０１）は、表面にＡＲコートを施した裏面反射鏡であり、サブミラー（５０３）は、表面反射鏡であり、
前記第２の位置において、メインミラー（５０１）とサブミラー（５０３）は平行に重畳されることを特徴とする撮像装置。
【請求項２】
メインミラー（５０１）の裏面にスクリーン印刷を施すことにより第２のミラーユニット位置におけるメインミラー（５０１）とサブミラー（５０３）の接触面に空隙を設けることを特徴とする請求項１に記載の撮像装置。
【請求項３】
第２のミラーユニット位置においてメインミラー（５０１）とサブミラー（５０３）が重畳する領域との境界の内、サブミラーホルダ駆動軸（５０４ｃ）に伝達される動力が伝わりやすい側にメインミラー（５０１）裏面のスクリーン印刷を部分的に厚く設けることを特徴とする請求項２に記載の撮像装置。
【請求項４】
メインミラー（５０１）裏面のスクリーン印刷の厚みを第２のミラーユニット位置におけるメインミラー（５０１）とサブミラー（５０３）の反射面のずれ量がメインミラー（５０１）の厚み方向に５０μｍ以下となるように設定したことを特徴とする請求項２又は請求項３に記載の撮像装置。
【請求項５】
サブミラー（５０３）に孔／溝加工を施すことにより第２のミラーユニット位置におけるメインミラー（５０１）とサブミラー（５０３）の接触面に空隙を設けることを特徴とする請求項１乃至請求項４の何れか一項に記載の撮像装置。
【請求項６】
サブミラー（５０３）に施す孔／溝加工を第２のミラーユニット位置においてメインミラー（５０１）と重畳する領域の境界の内、サブミラーホルダ駆動軸（５０４ｃ）に伝達される動力が伝わりやすい側に設けることを特徴とする請求項５に記載の撮像装置。
【発明の詳細な説明】
【技術分野】
【０００１】
本発明は、撮像装置に関し、特にクイックリターンミラー機構に関する。
【背景技術】
【０００２】
従来から、一眼レフカメラは撮影レンズからの光束を観察光路へ導くための観察位置と撮像光学系の光路へ導くための撮影位置とに回動可能なクイックリターンミラー機構を備えている。
【０００３】
クイックリターンミラー機構は、ハーフミラーからなるメインミラーを備えたメインミラーホルダと該メインミラーホルダに付設され焦点検出装置に被写体光束を導くためのサブミラーを備えたサブミラーホルダから構成されている。
【０００４】
従来のクイックリターンミラー機構においては、サブミラーホルダはメインミラーホルダに係合支持されており、ミラーアップの動作としてはメインミラーホルダがサブミラーを引き上げる機構となっている（特許文献１参照）。
【先行技術文献】
【特許文献】
【０００５】
【特許文献１】特開平０９−２７４２４９号公報
【発明の概要】
【発明が解決しようとする課題】
【０００６】
しかしながら、上述の特許文献１に開示されているように従来のクイックリターンミラー機構においては、サブミラーホルダはメインミラーホルダに係合支持されており、ミラーアップの動作としてはメインミラーホルダがサブミラーを引き上げる機構となっている。したがって、メインミラーホルダがアップする際にはサブミラーホルダの慣性力が働くために動作速度には限界があり、レリーズタイムラグ短縮の妨げとなっていた。
【０００７】
そこで、メインミラーホルダ待機位置まで予めサブミラーホルダを回動待機させておくことによりミラー駆動時間を短縮することが考えられる。
【０００８】
しかし、サブミラーホルダを上述の位置まで回動待機させるとメインミラーで反射される光束とサブミラーで反射される光束のずれにより、ファインダ像が二重に見えてしまい、焦点調節または焦点調節状態の確認が困難となるという問題がある。
【０００９】
そこで、本発明の目的は、メインミラーホルダ待機位置まで予めサブミラーホルダを回動待機させた際に、二重像とならない鮮明なファイダ像となる撮像装置を提供することにある。
【課題を解決するための手段】
【００１０】
上記の目的を達成するために、本発明に係る撮像装置は、
メインミラー（５０１）と、
メインミラー（５０１）を保持するメインミラーホルダ（５０２）と、
メインミラーホルダ（５０２）に支持され、
サブミラー（５０３）を保持するサブミラーホルダ（５０４）と、を備え、
サブミラーホルダ（５０４）は、被写体光を焦点検出装置（３１）に導くための第１の位置と、
被写体光をファインダ光学系（４）へ導くためのメインミラー待機位置まで回動した第２の位置と、
撮像素子（３３）への被写体光を遮らない第３の位置を有した撮像装置において、
メインミラー（５０１）は、表面にＡＲコートを施した裏面反射鏡であり、サブミラー（５０３）は、表面反射鏡であり、
前記第２の位置において、メインミラー（５０１）とサブミラー（５０３）は略平行に重畳されることを特徴とする。
【発明の効果】
【００１１】
本発明によれば、メインミラーホルダ待機位置まで予めサブミラーホルダを回動待機させた際に、二重像とならない鮮明なファイダ像となる撮像装置を提供できる。
【図面の簡単な説明】
【００１２】
【図１】本実施例における撮像装置の主要な電気構成図である。
【図２（ａ）】本実施例における撮像装置の構成を説明する図である。
【図２（ｂ）】本実施例における撮像装置の構成を説明する図である。
【図２（ｃ）】本実施例における撮像装置の構成を説明する図である。
【図３】本実施例におけるミラーユニットの構成を説明する分解斜視図である。
【図４】本実施例におけるメインミラーホルダとサブミラーホルダの動作詳細図である。
【図５】本実施例におけるメインミラーに施すスクリーン印刷を示した概略図である。
【図６】本実施例におけるサブミラーに施す加工を示した概略図である。
【発明を実施するための形態】
【００１３】
以下に、本発明の好ましい実施の形態を、添付の図面に基づいて詳細に説明する。
【実施例１】
【００１４】
図１は本実施の形態に係るデジタル一眼レフカメラの主要な電気的構成を示すブロック図である。
【００１５】
カメラ本体に内蔵されたマイクロコンピュータの中央処理装置１００（以下、ＭＰＵ１００という）は、カメラの動作制御を司るものであり、各要素に対して様々な処理や指示を実行する。
【００１６】
ＭＰＵ１００に内蔵されたＥＥＰＲＯＭ１００ａは、時刻計測回路１０９の計時情報やその他の情報を記憶可能である。
【００１７】
ＭＰＵ１００には、ミラー駆動回路１０１、焦点検出回路１０２、シャッタ駆動回路１０３、映像信号処理回路１０４、スイッチセンス回路１０５、測光回路２４が接続されている。また、液晶表示駆動回路１０７、バッテリチェック回路１０８、時刻計測回路１０９、電源供給回路１１０、圧電素子駆動回路１１１も接続されている。これらの回路はＭＰＵ１００の制御により動作するものである。
【００１８】
また、ＭＰＵ１００は、撮影レンズユニット内に配置されたレンズ制御回路２０１と、マウント接点２１を介して通信を行う。マウント接点２１は撮影レンズユニットが接続されるとＭＰＵ１００へ信号を送信する機能も備えている。これにより、レンズ制御回路２０１は、ＭＰＵ１００との間で通信を行い、撮影レンズユニット内の撮影レンズ２００および絞り２０４の駆動を、ＡＦ駆動回路２０２および絞り駆動回路２０３を介して行うことが可能となる。
【００１９】
なお、本実施の形態では便宜上１枚の撮影レンズで示しているが、実際は多数のレンズ群により構成されている。
【００２０】
ＡＦ駆動回路２０２は、たとえばステッピングモータによって構成され、レンズ制御回路２０１の制御によって撮影レンズ２００内のフォーカスレンズ位置を変化させることにより、撮像素子３３に撮影光束の焦点を合わせるように調整する。
【００２１】
２０３は絞り駆動回路であり、たとえばオートアイリスなどによって構成され、レンズ制御回路２０１によって絞り２０４を変化させ、光学的な絞り値を得るように構成されている。
【００２２】
ミラーユニット５００は、メインミラー５０１、サブミラー５０３から構成されている。ミラーユニットは、第１の位置（図２（ａ））から第２の位置（図２（ｂ））へ、更に第２の位置から第３の位置（図２（ｃ））へと移動可能である。
【００２３】
メインミラー５０１は、ミラーユニット５００の第１の位置にて、撮像レンズ２００を通過する撮像光束をファインダ光学系４へ導くとともに、その一部を透過させてサブミラー５０３に導く。
【００２４】
サブミラー５０３は、透過された撮影光束を焦点検出用センサユニット３１へ導く。
【００２５】
また、ミラーユニット５００は、撮像時には、撮像レンズ２００から撮像素子３３に向かう光束を遮らないように第３の位置に退避する。
【００２６】
ミラー駆動回路１０１は、ミラーユニット５００を第１の位置から第２、第３の位置へ、または第３の位置から第２、第１の位置へ駆動するためのものであり具体的には、たとえばモータ（不図示）とギヤトレイン（不図示）などから構成される。
【００２７】
焦点検出センサユニット３１は不図示である結像面近傍に配置されたフィールドレンズ、反射ミラー及び、２次結像レンズ、絞り、複数のＣＣＤから成るラインセンサ等から構成されている。
【００２８】
焦点検出センサユニット３１から出力された信号は、焦点検出回路１０２へ供給され、被写体像信号に換算された後ＭＰＵ１００へ送信される。
【００２９】
ＭＰＵ１００は被写体像信号に基づいて、位相差検出法による焦点検出演算を行う。そして、デフォーカス量およびデフォーカス方向を求め、これに基づき、レンズ制御回路２０１およびＡＦ駆動回路２０２を介して、撮影レンズ２００内のフォーカスレンズを合焦位置まで駆動する。
【００３０】
ペンタプリズム２２は、メインミラー５０１によって反射された撮影光束を正立正像に変換反射する光学部材である。使用者は、ファインダ光学系４を介して、ファインダ接眼レンズ１８からピント板２５に結像した被写体像を観察することができる。ペンタプリズム２２は、撮影光束の一部を測光センサ２３にも導く。測光回路２４は、測光センサ２３の出力を得て、観察面上の各エリアの輝度信号に変換し、ＭＰＵ１００に出力する。ＭＰＵ１００は、得られる輝度信号から露出値を算出する。
【００３１】
１０６は機械式フォーカルプレーンシャッタであり、ユーザがファインダにより被写体像を観察している時には撮影光束を遮る。また撮像時にはレリーズ信号に応じて、不図示の先羽根群と後羽根群の走行する時間差により所望の露光時間を得るように構成されている。フォーカルプレーンシャッタ１０６は、ＭＰＵ１００の指令を受けたシャッタ駆動回路１０３によって制御される。
【００３２】
３３は撮像素子で、本実施例では撮像デバイスであるＣＭＯＳが用いられる。撮像デバイスには、ＣＣＤ型、ＣＭＯＳ型およびＣＩＤ型など様々な形態があり、何れの形態の撮像デバイスを採用してもよい。
【００３３】
３４はクランプ／ＣＤＳ（相関二重サンプリング）回路であり、Ａ／Ｄ変換する前の基本的なアナログ処理を行うとともに、クランプレベルの変更も可能である。
【００３４】
３５はＡＧＣ（自動利得調整装置）であり、Ａ／Ｄ変換する前の基本的なアナログ処理を行うとともに、ＡＧＣ基本レベルの変更も可能である。
【００３５】
３６はＡ／Ｄ変換器であり、撮像素子３３のアナログ出力信号をデジタル信号に変換する。
【００３６】
３２は略矩形の形状を有する赤外線カットフィルタで、撮像素子７に入射される光束の不要な赤外光をカットする。また、異物の付着を防止するために、表面は導電性物質で覆われている。
【００３７】
１１３は光学ローパスフィルタで、水晶からなる複屈折板および位相板を複数枚貼り合わせて積層し、更に赤外カットフィルタを貼り合わせて構成している。
【００３８】
１１２は積層型の圧電素子であり、ＭＰＵ１００に指令を受けた圧電素子駆動回路１１１により加振され、その振動を光学ローパスフィルタ４１０に伝えるように構成されている。
【００３９】
１０４は映像信号処理回路であり、デジタル化された画像データに対してガンマ／ニー処理、フィルタ処理、モニタ表示用の情報合成処理など、ハードウエアによる画像処理全般を実行する。この映像信号処理回路１０４からのモニタ表示用の画像データは、カラー液晶駆動回路１１５を介してカラー液晶モニタ１９に表示される。また、映像信号処理回路１０４は、ＭＰＵ１００の指示により、メモリコントローラ３８を通じて、バッファメモリ３７に画像データを保存することも可能である。
【００４０】
更に、映像信号処理回路１０４は、ＪＰＥＧなどの画像データ圧縮処理を行う機能も有している。連写撮影など連続して撮影が行われる場合は、一旦バッファメモリ３７に画像データを格納し、メモリコントローラ３８を通して未処理の画像データを順次読み出すことも可能である。これにより映像信号処理回路１０４は、Ａ／Ｄ変換器３６から入力されてくる画像データの速度に関わらず、画像処理や圧縮処理を順次行うことが可能となる。
【００４１】
メモリコントローラ３８は、外部インタフェース４０（ビデオ信号出力用ジャックおよびＵＳＢ出力用コネクタ等が相当する）から入力される画像データをメモリ３９に記憶することや、メモリ３９に記憶されている画像データを外部インタフェース４０から出力する機能についても有する。なお、メモリ３９は、カメラ本体に対して着脱可能なフラッシュメモリなどである。
【００４２】
１０５はスイッチセンス回路であり、各スイッチの操作状態に応じて入力信号をＭＰＵ１００に送信する。
【００４３】
７ａは、シャッタボタン７の第１ストロークによりオンするスイッチＳＷ１である。
【００４４】
７ｂは、シャッタボタン７の第２ストロークによりオンするスイッチＳＷ２である。スイッチＳＷ２がオンされると、撮影開始の指示がＭＰＵ１００に送信される。また、メイン操作ダイヤル８、サブ操作ダイヤル２０、撮影モード設定ダイヤル１４、メインＳＷ４３、ＡＦモード切り替えＳＷ４４、フォーカスモード切り替えＳＷ４５が接続されている。
【００４５】
フォーカスモード切り替えＳＷ４５はフォーカスモードを選択するスイッチで、オートフォーカス（以下ＡＦと呼ぶ）／マニュアルフォーカス（以下ＭＦと呼ぶ）の何れかを選択可能である。ＡＦモード切り替えＳＷ４４はＡＦモードを選択するスイッチでワンショットＡＦ／コンティニュアスＡＦ等から何れかを選択可能である。
【００４６】
１０７は液晶表示駆動回路であり、ＭＰＵ１００の指示に従って、外部液晶表示装置９やファインダ内液晶表示装置４１を駆動する。
【００４７】
１０８はバッテリチェック回路であり、ＭＰＵ１００からの信号に従って、所定時間バッテリチェックを行い、その検出出力をＭＰＵ１００へ送る。４２は電源部であり、カメラの各要素に対して、必要な電源を供給する。
【００４８】
１０９は時刻計測回路でメインＳＷ４３がＯＦＦされて次にＯＮされるまでの時間や日付を計測し、ＭＰＵ１００からの指令により、計測結果をＭＰＵ１００へ送信することができる。
【００４９】
次に、図２〜４を参照して、本発明における、デジタル一眼レフカメラのミラーユニット５００の状態について説明する。
【００５０】
図２はデジタル一眼レフカメラの構成を説明する図である。
【００５１】
図２において、カメラ本体１には交換レンズ２００が取り付けられている。カメラ本体１は、焦点検出センサユニット３１、ファインダ光学系４、ミラーボックス４００、撮像素子３３、測光センサ２３、および不図示のミラー駆動ユニットを備えている。
【００５２】
図２（ａ）はメインミラーホルダ５０２およびサブミラーホルダ５０４はミラーダウン位置に待機している状態を示す。ミラーユニット５００が光路内に位置し、交換レンズ２００を通過した光束はメインミラー５０１で分離される。メインミラーで反射した光束は、ファインダ光学系４のペンタプリズム２２に導かれる。一方、メインミラー５０１を透過した光束はサブミラー５０４で反射して、焦点検出センサユニット３１に導かれる。したがって、図２（ａ）の状況にて、交換レンズ２００を透過した光束は、撮像素子３３に導かれない。この時、ファインダ光学系４を介して撮影者が確認できるファインダ像の光量は焦点検出センサユニット３１へ導かれる光量だけ減じられたものとなる。この状態を本実施例では第１のミラーユニット位置と呼ぶ。
【００５３】
図２（ｂ）は、メインミラーホルダ５０２はミラーダウン位置に位置し、サブミラーホルダ５０４はメインミラー５０１とサブミラー５０３が重なる位置までミラーアップしている状態を示す。交換レンズ２００を通過した光束は、メインミラー５０１とサブミラー５０３に反射し、焦点検出センサユニット３１に導かれることなく、ファインダ光学系４のペンタプリズム２２に導かれ、ファインダ接眼レンズ１８を介して撮影者が確認できる。この状態を本実施例では第２のミラーユニット位置と呼ぶ。
【００５４】
第２のミラーユニット位置において、ファインダ接眼レンズ１８を介して撮影者が確認できるファインダ像の光量、測光センサ２３に導かれる光量は増加する。この時、メインミラー５０１とサブミラー５０３の反射面がずれてしまうとファインダ像が二重像に見えてしまう。
【００５５】
そこで、図２（ｂ）のＡ部拡大図に示すように、本発明ではメインミラー５０１を表面にＡＲコートを施した裏面反射鏡とし、サブミラー５０３を表面反射鏡とする。
【００５６】
また、第２のミラーユニット位置において、メインミラー５０１とサブミラー５０３は略平行に重なるメカ構成となっており、メインミラー５０１の裏面とサブミラー５０３の表面がほぼ一致するため、反射面のずれを抑えることが可能となる。
【００５７】
また、メインミラー５０１を裏面反射鏡とすると表面反射鏡に対してメインミラー５０１の厚み分反射面と撮像素子３３との距離が近づくことになる。基本的に反射面と撮像素子３３までの距離と反射面とピント板２５までの距離が等しくなるようにファインダ光学系４は設計されるため、メインミラー５０１が表面反射鏡である撮像装置に対してファインダ光学系４もメインミラー５０１の反射面に近づく事になる。よってメインミラー５０１を裏面反射鏡とした副次的効果としてメインミラー５０１が表面反射鏡である撮像装置に対して撮像装置の高さ方向のサイズを小型化する事が可能となる。
【００５８】
この小型化可能量Ｙはメインミラー５０１の厚みをｔ、屈折率をηとした場合、以下の式（１）で簡易的に計算でき、例えばメインミラー５０１の厚みが０．５ｍｍ、屈折率が１．５だった場合、約１．４ｍｍとなる。
Ｙ＝（１／Ｓｉｎ４５°）×（２×ηｔ−ｔ）≒１．４×（２×ηｔ−ｔ）
・・・式（１）
一方、ファインダ像におけるずれ量δとメインミラー５０１とサブミラー５０３の厚み方向における反射面のずれ量ｄの関係は、以下の式（２）で簡易的に計算できる。
ｄ＝  Ｓｉｎ４５°×δ≒（１／１．４）×δ              ・・・式（２）
ファインダ像におけるずれ量δは、小さいほど好ましいが、例えば明視の距離２５ｃｍにおける視力１．０の人の目の分解能が約７２．５μｍであることから７２．５μｍまで許容可能であると仮定すると、ミラーの厚み方向のずれ量ｄは、式（２）から約５０μｍまで許容できると考えられる。
【００５９】
図２（ｃ）はメインミラーホルダ５０２およびサブミラーホルダ５０４がミラーアップ位置に待機している状態を示す。図２（ｃ）の状態では、メインミラーホルダ５０２およびサブミラーホルダ５０４はミラーボックス４００の上方に回動しミラーユニット５００は撮影光路内から退避する。これにより交換レンズ２００を通過した光束は、ファインダ光学系４および焦点検出センサユニット３１に導かれることなく、撮像センサ３３に導かれる。この状態を本実施例では第３のミラーユニット位置と呼ぶ。
【００６０】
第３のミラーユニット位置では、ファインダ側から入ってくる光（以下、ファインダ逆入光）が撮像素子３３に到達しない構成となっており、その対策の一つとして多くの場合、メインミラー５０１の裏面に遮光用のスクリーン印刷を施している。
【００６１】
以上のようにミラー駆動ユニットは、ミラーユニット５００を図２（ａ）に示すミラーダウン位置と図２（ｃ）に示すミラーアップ位置との間を駆動する。
【００６２】
図３はミラーユニット５００の構成を説明する分解斜視図であり、図２におけるメインミラーホルダ５０２及びサブミラーホルダ５０４の関係をここで説明する。
【００６３】
ミラーユニット５００はメインミラー５０１を保持するメインミラーホルダ５０２と、サブミラー５０３を保持するサブミラーホルダ５０４を有する。
【００６４】
メインミラーホルダ５０２には回転軸５０２ａ、５０２ｂが形成されており、ミラーボックス４００に回転軸５０２ａを中心として回動するよう取り付けられている。
【００６５】
サブミラーホルダ５０４には穴部５０４ａが形成されており、メインミラーホルダ５０２に形成された軸５０２ｂに軸支され、該軸５０２ｂを中心に回動する。またサブミラーホルダ駆動軸５０４ｃが形成されており、該駆動軸に不図示のミラー駆動ユニットにより動力が伝達されることによりサブミラーホルダ５０４が駆動する。
【００６６】
サブミラーホルダ５０４が駆動することによりメインミラーホルダ５０２が押し上げられることでミラーアップ動作を行う。ミラーダウン動作は、メインミラーホルダ５０２がサブミラーホルダ５０４に引き下げられることでミラーダウン動作を行う機構となっており、前述図２の動作を可能としている。
【００６７】
図４を用いて更に詳細を説明する。
【００６８】
図４はメインミラーホルダ５０２とサブミラーホルダ５０４の動作詳細図である。
【００６９】
（ａ）、（ｄ）は前記第１のミラーユニット位置、（ｂ）、（ｅ）は前記第２のミラーユニット位置、（ｃ）、（ｆ）は前記第３のミラーユニット位置の状態を示す。
【００７０】
（ａ）において、サブミラーホルダ５０４は不図示のバネによりミラーボックス４００に取り付けられたサブミラー位置決め軸５０８に付勢されている。また、メインミラーホルダ５０２は不図示のバネによりミラーボックス４００に取り付けられたメインミラー位置決め軸５０７に付勢されて第１のミラーユニット位置の状態を保っている。この状態において、不図示のミラー駆動ユニットによりサブミラーホルダ駆動軸５０４ｃに図示Ｆ方向に動力が伝達されると軸５０２ｂを回転中心としてサブミラーホルダ５０４が駆動し、（ｂ）の第２のミラーユニット位置まで回動する。
【００７１】
第２のミラーユニット位置ではサブミラーホルダ５０４はメインミラーホルダ５０２に当接しその付勢力は、メインミラーホルダ５０２がメインミラー位置決め軸５０７から浮かない付勢力であれば良い。この状態において、不図示のミラー駆動ユニットによりサブミラーホルダ駆動軸５０４ｃに図示Ｆ方向に動力が伝達されると、サブミラーホルダ５０４によってメインミラーホルダ５０２を持ち上げられ、（ｃ）の第３のミラーユニット位置まで回動する。
【００７２】
第３のミラーユニット位置では、サブミラーホルダ５０４によってメインミラーホルダ５０２をミラーボックス４００に取り付けられたミラーアップストッパ５０５に付勢され、ミラーユニット５００は撮影光路内から退避する位置を保っている。
【００７３】
（ｄ）では不図示のミラー駆動ユニットによりサブミラーホルダ駆動軸５０４ｃに図示Ｆ方向に動力を伝達することでサブミラーホルダ５０４のダウンが開始される。この時メインミラーホルダ５０２はサブミラーホルダ５０４に連結された不図示のバネもしくはカムによりサブミラーホルダ５０４と同時に押し下げられ、メインミラーホルダ５０２がメインミラー位置決め軸５０７に当接し（ｅ）の第２のミラーユニット位置の状態となる。
【００７４】
（ｅ）の状態から不図示のミラー駆動ユニットによりサブミラーホルダ駆動軸５０４ｃに図示Ｆ方向に動力を伝達することでサブミラーホルダ５０４はサブミラー位置決め軸５０８に当接し（ｆ）の第１のミラーユニット位置に戻る。
【００７５】
尚、前記ミラー駆動ユニットの機構については、図２に示すミラーユニット５００の動作を達成できれば手段は問わない。
【００７６】
以下、図５を参照して、メインミラー５０１に施すスクリーン印刷に関して詳細に説明を行う。
【００７７】
前述の通り、本発明では第２のミラーユニット位置において、メインミラー５０１とサブミラー５０３が略平行に重なった状態となる。平滑な鏡面であるこれらミラーが面接触する場合、分子間力によって貼りつく可能性がある。特に温度・湿度によってはこの分子間力は強くなり、ミラー駆動に影響を及ぼす可能性もある。
【００７８】
そこで、本実施例ではメインミラー５０１裏面のスクリーン印刷によってメインミラー５０１とサブミラー５０３の間に微小な空隙を設け、分子間力による貼りつきを防止する。
【００７９】
図５は第２のミラーユニット位置において重なった状態のメインミラー５０１とサブミラー５０３をメインミラー５０１の表面側から見た概略図である。
【００８０】
図５においてサブミラー５０３が重畳する領域は破線で示されている。５０１ａでハッチングを行った領域はメインミラー５０１裏面におけるスクリーン印刷の領域であり、焦点検出センサユニット３１に必要な領域を開口した上で、前述の通り、ファインダ逆入光対策に必要な領域を遮光している。この時、例えば、５０１ｂでハッチングした領域のスクリーン印刷をミクロンオーダーで厚くする事によりメインミラー５０１とサブミラー５０３の接触時に微小な空隙を設ける。
【００８１】
スクリーン印刷を厚くする領域５０１ｂは、メインミラー５０１とサブミラー５０３が重畳する領域との境界の内、図４で示したサブミラーホルダ駆動軸５０４ｃに伝達される動力Ｆが伝わりやすい側に設ける事が好ましい。
【００８２】
また、スクリーン印刷によって設ける空隙の量は、前述したファインダ像が二重像にならない反射面のずれ量約５０μｍに収まる範囲内で分子間力による貼りつきを防止可能な量に設定することが好ましい。
【００８３】
なお、ここではスクリーン印刷の一部の厚みを変えることで空隙を設ける方法に言及したが、スクリーン印刷全域にミクロンオーダーの凹凸を設ける方法や表面粗さを粗くする方法によって空隙を設けても良い。
【００８４】
以下、図６を参照して、サブミラー５０３に施す加工に関して詳細に説明する。
【００８５】
図６はサブミラー５０３を表面側から見た概略図である。
【００８６】
５０３ａでハッチングを行った領域は第２のミラーユニット位置において重なったメインミラー５０１裏面におけるスクリーン印刷の領域５０１ａをサブミラー５０３に投影した領域である。よって、焦点検出センサユニット３１に必要な領域は開口されており、サブミラー５０３の領域５０３ａに加工を施しても焦点検出に影響は生じない。この時、例えば、５０３ｂでハッチングした領域に微小な孔／溝を設けることによりメインミラー５０１とサブミラー５０３の接触時に微小な空隙を設ける。孔／溝は、例えばＣＯ２レーザー加工や超音波砥粒加工等の微小孔、微細溝加工技術によって数１０〜数１００μｍのサイズで行う。
【００８７】
微小な孔／溝を設ける領域５０３ｂは、メインミラー５０１とサブミラー５０３が重畳する領域との境界の内、図４で示したサブミラーホルダ駆動軸５０４ｃに伝達される動力Ｆ  が伝わりやすい側に設ける事が好ましい。
【００８８】
なお、ここでは５０３ａでハッチングした領域の一部である領域５０３ｂに微小な孔／溝を設ける方法に言及したが、５０３ａの領域全域に微小な孔／溝を設けても良い。
【００８９】
メインミラー５０１に施すスクリーン印刷、及びサブミラー５０３に施す加工は、分子間力による貼りつき防止の効果とミラーの厚み方向の反射面のずれ量に応じてどちらか一方のみを選択して行っても良い。ただし、メインミラー５０１に施すスクリーン印刷がそもそもファインダ逆入光のために必要である場合は、メインミラー５０１に施すスクリーン印刷をサブミラー５０３への加工に優先して選択する事が望ましい。
【００９０】
以上のように、本発明によれば、二重像とならない鮮明なファイダ像となる撮像装置撮像装置を提供できる。また、本発明の副次的効果によって撮像装置のサイズの小型化も可能である。     
【００９１】
以上、本発明の好ましい実施形態について説明したが、本発明はこれらの実施形態に限定されず、その要旨の範囲内で種々の変形及び変更が可能である。
【符号の説明】
【００９２】
１  カメラ、４  ファインダ光学系、２２  ペンタプリズム、２３  測光センサ、
２５  ピント板、３１  焦点検出用センサユニット、３３  撮像素子、
２００  撮像レンズ、５００  ミラーユニット、５０１  メインミラー、
５０２  メインミラーホルダ、５０３  サブミラー、５０４  サブミラーホルダ
【図１】
2017146320.tif 000003
【図２（ａ）】
2017146320.tif 000004
【図２（ｂ）】
2017146320.tif 000005
【図２（ｃ）】
2017146320.tif 000006
【図３】
2017146320.tif 000007
【図４】
2017146320.tif 000008
【図５】
2017146320.tif 000009
【図６】
2017146320.tif 000010